(57)【要約】【課題】記録をしたい画像データをとり逃すことなく確実に記録すること【解決手段】画像送信装置２０は、任意の画像表示装置１０に表示された画像データを画像表示装置１０の表示のタイミングと実質的に同一のタイミングで取り込む。画像遅延部２３は、取り込んだ画像データを所望の時間だけ遅延させた遅延画像データを生成する。送信部２４は、遅延画像データを携帯機器３０に送信する。小型画像表示部３３は、当該遅延画像データを表示する。制御部３４は、小型画像表示部３３に表示された遅延画像データの記録を制御する。【選択図】図１
2011091545.tif 000002
【特許請求の範囲】
【請求項１】
画像データの送信を行う第一の装置と、画像データの受信を行う第二の装置と、を備える画像記録システムであって、
前記第一の装置は、任意の画像表示装置に表示された画像データを前記画像表示装置の表示のタイミングと実質的に同一のタイミングで取り込む画像取り込み部と、
画像データを前記第二の装置に送信する送信部と、を備え、
前記第一の装置、または前記第二の装置のいずれか一方が、前記画像表示装置に表示された画像データを所望の時間だけ遅延させた遅延画像データを生成する画像遅延部を備え、
前記第二の装置は、前記遅延画像データを表示する画像表示部と、
前記画像表示部に表示された前記遅延画像データの記録を制御する制御部と、を備える画像記録システム。
【請求項２】
前記第一の装置が前記画像遅延部を備えることを特徴とする請求項１に記載の画像記録システム。
【請求項３】
前記第二の装置が前記画像遅延部を備えることを特徴とする請求項１に記載の画像記録システム。
【請求項４】
前記第一の装置と、前記第二の装置と、が前記画像遅延部を備えることを特徴とする請求項１に記載の画像記録システム。
【請求項５】
前記画像遅延部は、遅延処理の対象となる画像データをＦＩＦＯ（First In, First Out）メモリに書き出し、前記所望の時間後に前記ＦＩＦＯメモリから画像データを読み出すことにより前記遅延画像データを生成することを特徴とする請求項１乃至請求項４に記載の画像記録システム。
【請求項６】
前記画像記録システムは、前記画像表示装置を備えたことを特徴とする請求項１乃至請求項５に記載の画像記録システム。
【請求項７】
前記第一の装置、または前記第二の装置のいずれか一方が、画像データを前記画像表示部での表示に適した画像サイズに変換する画像サイズ調整部を備え、
前記画像遅延部は、前記画像サイズ調整部により変換された画像データを遅延させることを特徴とする請求項１乃至請求項６に記載の画像記録システム。
【請求項８】
任意の画像表示装置に表示された画像データを、第一の装置に前記画像表示装置の表示のタイミングと実質的に同一のタイミングで取り込み、
前記第一の装置から、画像表示機能を備える第二の装置に画像データを送信し、
前記画像データの送信前、または送信後の少なくともいずれか一方において画像データを所望の時間だけ遅延させた遅延画像データを生成し、
前記第二の装置において、前記遅延画像データを表示するとともに、ユーザの命令に応じて前記遅延画像データの記録を行う画像記録方法。
【請求項９】
前記遅延画像データの生成は、前記第一の装置によるデータ送信処理の前に行うことを特徴とする請求項８に記載の画像記録方法。
【請求項１０】
前記遅延画像データの生成は、前記第一の装置によるデータ送信処理の後に行うことを特徴とする請求項８に記載の画像記録方法。
【請求項１１】
前記遅延画像データの生成は、前記第一の装置によるデータ送信処理の前およびデータ送信処理の後に段階的に行うことを特徴とする請求項８に記載の画像記録方法。
【請求項１２】
前記遅延画像データの生成は、遅延処理の対象となる画像データをＦＩＦＯ（First In, First Out）メモリに書き出し、前記所望の時間後に前記ＦＩＦＯメモリから画像データを読み出すことにより行うことを特徴とする請求項８乃至請求項１１に記載の画像記録方法。
【請求項１３】
前記第一の装置、または前記第二の装置のいずれか一方において、画像データを前記第二の装置での表示に適した画像サイズに変換し、
当該画像サイズ変換が行われた画像データから前記遅延画像データを生成することを特徴とする請求項８乃至請求項１２に記載の画像記録方法。
【請求項１４】
任意の画像表示装置に表示されている画像データを、前記画像表示装置の表示のタイミングと実質的に同一のタイミングで取り込んで送信する送信装置から受信した画像データを、所望の時間だけ遅延させた遅延画像データを生成する画像遅延部と、
前記画像表示装置の表示部とは異なる画像表示部に表示された前記遅延画像データを参照したユーザの命令に応じて、前記遅延画像データの記録を行う制御部と、を備える画像受信装置。
【請求項１５】
任意の画像表示装置に表示されている画像データを前記画像表示装置の表示のタイミングと実質的に同一のタイミングで取り込む画像取り込み部と、  
前記画像データの表示が行われている前記画像表示装置とは異なる画像受信装置に表示および記録させるために、前記画像取り込み部が取り込んだ画像データを所望の時間だけ遅延させた遅延画像データを生成する画像遅延部と、を備えた画像遅延装置。
【発明の詳細な説明】
【技術分野】
【０００１】
本発明は画像記録システム及び画像記録方法に関し、特に時間の経過により内容が変化する画像データの記録に適した画像記録システム及び画像記録方法に関する。
【背景技術】
【０００２】
近年、画像（静止画、動画）データを表示する表示装置は多岐にわたっている。たとえば、表示装置としてテレビジョン、パソコンモニタ、デジタルサイネージ等が挙げられる。ユーザは、これらの表示装置から非常に多い情報量の画像データを視覚的に得ることができる。ここで、ユーザが、これらの表示装置に表示された画像データから所望の画像データを手元の携帯装置に記録したいと望む場合がある。
【０００３】
しかし、表示装置に表示された画像データのうち、ユーザの手元の携帯装置において記録対象となる画像データは、表示装置に表示された画像データの一部だけである場合が多い。言い換えると、表示装置に表示された画像データのうち、大半の画像データは記録の対象とならず、不要である場合が多い。そのため、表示装置に表示された画像データのうち、必要な画像データのみを記録し損ねることなく、確実に記録することが重要となる。
【０００４】
特許文献１は、ビデオ信号から携帯電話の待ち受け表示用のコンテンツを取得して、携帯電話に転送する携帯電話機用キャプチャーシステムを開示している。特許文献１に記載の携帯電話機用キャプチャーシステムの構成を図６に示す。携帯電話機用キャプチャーシステム４０は、ＡＶ（Audio Visual）処理部５０と、キャプチャー処理部６０と、を備える。キャプチャー処理部６０は、Ａ／Ｄ（Analog/Digital）変換部６１と、ＤＳＰ（Digital Signal Processor）部６２と、ローカル制御ＣＰＵ（Central Processing Unit）６３と、シリアル通信Ｉ／Ｆ（Interface）６４と、メモリ６５と、を備える。
【０００５】
ＡＶ処理部５０は、テレビジョン、ＤＶＤ（Digital Versatile Disc）等のいわゆるＡＶ機器として動作し、ビデオ信号をビデオ出力装置５１に表示するとともに、表示しているビデオ信号をキャプチャー処理装置６０内のＡ／Ｄ変換部６１に出力する。ユーザは、リモコンＩ／Ｆ８０を介して、ＡＶ処理部５０のビデオ出力装置５１に表示されている情報のうち、キャプチャーしたい情報を指定する。キャプチャー対象の情報が指定された場合、Ａ／Ｄ変換部６１は、入力されたビデオ信号をデジタル信号に変換し、変換したデジタル信号をＤＳＰ部６２に入力する。ＤＳＰ部６２は、入力されたデジタル信号を、携帯電話７０の表示仕様に適合する所定フォーマットの画像情報に加工し、当該画像情報をメモリ６５に一時的に保存する。メモリ６５に保存された画像情報は、シリアル通信Ｉ／Ｆ６４及び外部接続ケーブル７１を介して携帯電話７０に待ち受け表示用コンテンツとして転送される。ローカル制御ＣＰＵ６３は、画像情報の記録、及び転送を制御する。
【０００６】
特許文献２は、携帯機器へのデジタルデータのストリーミングシステムに関する技術を開示している。このデジタルデータのストリーミングシステムは、キャプショニング（字幕処理）、言語翻訳、及び補聴補助の目的で、メディアストリームを携帯装置に提供する。特許文献２にかかるストリーミングシステムの構成を図７に示す。ユーザが会場内で動き回る場合、ユーザが保持する携帯装置がその位置に応じた赤外線または無線信号を受信し、携帯装置内のメモリに保存する。ユーザは、携帯装置のメモリに保持された情報を参照、記録等を行う。
【先行技術文献】
【特許文献】
【０００７】
【特許文献１】特開２００２−２４７１８５号公報
【特許文献２】特表２００６−５０７７２３号公報
【発明の概要】
【発明が解決しようとする課題】
【０００８】
しかしながら、上述のシステムによっては、以下の問題がある。特許文献１に記載のシステムでは、ユーザは表示装置に表示されたビデオ画像データを参照しつつ、リアルタイムで記録処理を行わなければならない。また、特許文献２に記載のシステムにおいても、ユーザは、携帯装置に表示された情報を参照しつつ、リアルタイムで記録処理を行わなければならない。ユーザがリアルタイムで参照している画像データ、特に動きの多い動画像データを記録処理する場合、いつ所望の画像データが表示されるかを認識できないため、必要な画像データを記録できないおそれがある。
【０００９】
すなわち、上述のシステムによっては、表示装置に表示された画像データのうち、必要な画像データを記録し損ねることなく、確実に記録することが困難であった。
【課題を解決するための手段】
【００１０】
本発明にかかる画像記録システムの一態様は、画像データの送信を行う第一の装置と、画像データの受信を行う第二の装置と、を備える画像記録システムであって、前記第一の装置は、任意の画像表示装置に表示された画像データを前記画像表示装置の表示のタイミングと実質的に同一のタイミングで取り込む画像取り込み部と、画像データを前記第二の装置に送信する送信部と、を備え、前記第一の装置、または前記第二の装置のいずれか一方が、画像データを所望の時間だけ遅延させた遅延画像データを生成する画像遅延部を備え、前記第二の装置は、前記遅延画像データを表示する画像表示部と、前記画像表示部に表示された前記遅延画像データの記録を制御する制御部と、を備えるものである。
【００１１】
本発明においては、画像表示装置に表示された画像データを、画像遅延部において遅延させた遅延画像データを生成する。当該遅延画像データを第二の装置で表示することにより、画像表示装置と、第二の装置と、で同一の画像データを異なるタイミングで参照できる。ユーザは第二の装置において当該遅延画像データを記録することにより、記録したい画像データを確実に記録できる。
【発明の効果】
【００１２】
本発明によれば、記録をしたい画像データを取り逃すことなく確実に記録することができる。
【図面の簡単な説明】
【００１３】
【図１】実施の形態１にかかる画像記録システムのブロック図である。
【図２】実施の形態１にかかる画像遅延部内のＦＩＦＯメモリの構成図である。
【図３】実施の形態１にかかる画像記録システムの動作を示す図である。
【図４】実施の形態２にかかる画像記録システムのブロック図である。
【図５】実施の形態３にかかる画像記録システムのブロック図である。
【図６】従来の携帯電話機用キャプチャーシステムのブロック図である。
【図７】従来のストリーミングシステムの構成図である。
【発明を実施するための形態】
【００１４】
実施の形態１
以下、図面を参照して本発明の実施の形態について説明する。まず、図１を参照して、本実施の形態にかかる画像記録システムの基本構成について説明する。画像記録システム１は、画像表示装置１０と、画像送信装置２０と、携帯機器３０と、を備える。画像表示装置１０は、静止画、または動画を表示するための表示装置である。画像表示装置１０の一例としてテレビジョン、パソコンモニタ、デジタルサイネージ（電子看板）が挙げられる。
【００１５】
画像表示装置１０は、画像データをディスプレイに表示するとともに、表示している画像データを画像送信装置２０に入力する。たとえば、テレビジョンに表示された画像データをコンポジット信号として画像送信装置２０に入力する。ユーザは、携帯機器３０を手元に保持するとともに、画像表示装置１０に表示された画像データを視聴する。
【００１６】
画像送信装置２０は、画像取り込みＩ／Ｆ（Interface）２１と、画像サイズ調整部２２と、画像遅延部２３と、送信部２４と、を備える。画像取り込みＩ／Ｆ２１は、画像表示装置１０に表示された画像データを、画像表示装置１０に表示されているタイミングと実質的に同一のタイミングで画像送信装置２０に取り込む処理部である。画像取り込みＩ／Ｆ２１は、入力された画像データがアナログデータである場合、アナログデータをＡ／Ｄ変換し、デジタル化された画像データを画像サイズ調整部２２に出力する。
【００１７】
画像サイズ調整部２２は、入力された画像データを携帯機器３０内の小型画像表示部３３の表示に適した画像サイズ（画素数）となるように調整する。本実施例において、画像サイズ調整部２２による画像サイズ調整に用いられる設定値（変更画素数等の設定値）は、あらかじめ画像送信装置２０において設定されている。なお、この設定値は、携帯機器３０から送信されてもよい。具体的には、画像送信装置２０内の送信部２４と、携帯機器３０内の受信部３１と、の間のリンク接続の際に、携帯機器３０が画像サイズの設定値等を送信してもよい。画像調整部２２は、画像サイズ調整を行った画像データを画像遅延部２３に出力する。なお、画像サイズ調整部２２は、画像サイズに限らず、任意の画像特性、例えば画像のアスペクト比を携帯機器３０の仕様に合わせて調整する機能を備えてもよい。
【００１８】
画像遅延部２３は、画像サイズ調整部２２から入力された画像データを所望の時間だけ遅延させる。画像遅延部２３による遅延時間は任意の時間をすることができるが、画像表示装置１０に表示されている画像データを視聴しているユーザが、遅延を認識できる程度の遅延時間であることが望ましい。たとえば、画像遅延部２３による画像遅延時間は、３〜３０秒程度である。画像遅延時間は、画像遅延部２３にあらかじめ設定されている。画像遅延部２３は、入力された画像データを所望の時間だけ遅延させた後に、当該画像データを送信部２４に出力する。画像遅延部２３による画像遅延処理の詳細は、後述する。
【００１９】
送信部２４は、画像遅延部２３から入力された画像データを携帯機器３０に送信する。ここで、送信部２４は、画像データを転送するのに十分な信号帯域を持つ無線方式で画像データを携帯機器３０に送信する。たとえば、送信部２４は、ＷＬＡＮ（Wireless Local Area Network）、またはＵＷＢ（Ultra Wide Band）を介して画像データを携帯機器３０に送信する。なお、画像送信装置２０と、携帯機器３０と、は有線によって接続され、有線回線により画像データを送受信してもよい。
【００２０】
携帯機器３０は、画像表示機能と、画像記録機能を備える装置の一例として例示したものであり、必ずしも携帯できる大きさの機器でなくてもよい。携帯機器３０の一例として、携帯電話、ＰＤＡ（Personal Data Assistance）、携帯型デジタル音楽プレイヤーが挙げられる。また、携帯機器３０は、テレビジョン等であってもよい。
【００２１】
携帯機器３０は、受信部３１と、記憶部３２と、小型画像表示部３３と、制御部３４と、を備える。受信部３１は、送信部２４から送信される画像データを受信する処理部である。受信部３１は、受信した画像データを小型画像表示部３３に出力する。
【００２２】
小型画像表示部３３は、携帯機器３０に備えられた表示処理部である。たとえば、携帯電話のディスプレイ画面及び当該ディスプレイ画面にかかる処理部が小型画像表示部３３に該当する。ここで、小型画像表示部３３に表示される画像データには、画像遅延部２３により所定の時間の遅延が与えられている。そのため、小型画像表示部３３に表示される画像データは、画像表示装置１０に表示された画像データが一定時間遅れて表示される。
【００２３】
ユーザは、画像表示装置１０に表示された画像データを視聴し、携帯機器３０に記録したい画像データがあるか否かを判断する。携帯機器３０に記録したい画像データがある場合、ユーザは小型画像表示部３３に表示された画像データを視聴する。すなわちユーザは、画像表示装置１０の画像データの視聴から小型画像表示部３３に表示された画像データの視聴に切り替える。小型画像表示部３３には記録したい画像データが所定時間だけ遅延して表示されるため、ユーザは小型画像表示部３３に記録したい画像データが表示されるのを待つことができる。ユーザは記録したい画像データが小型画像表示部３３に表示されたタイミングで携帯機器３０に対して記録命令を行う。ユーザが行う記録命令は、たとえば、携帯機器３０に備えられた記録ボタンを押すことにより行う。
【００２４】
上述の記録命令は、携帯機器３０内の制御部３４に入力される。制御部３４は、一連の携帯機器３０の処理を制御する制御部である。制御部３４は、ユーザが行う記録命令に基づいて、小型画像表示部３３に表示された画像データを記録する。制御部３４は、記録した画像データを記憶部３２に保存する。記憶部３２は、任意のデータを記憶するための記憶装置であり、たとえばＲＡＭ（Random Access Memory）、またはＲＯＭ（Read Only Memory）等の半導体装置である。また、記憶部３２は、携帯機器３０の外部から接続するメモリーカード等であってもよい。
【００２５】
続いて、画像遅延部２３による画像遅延処理について、図２を参照して説明する。画像遅延部２３による画像遅延処理は、画像遅延部２３内にＦＩＦＯ（First In, First Out）メモリを備えることにより実現される。図２は、画像遅延部２３内のＦＩＦＯメモリの構成を示す図である。
【００２６】
画像遅延部２３は、入力された画像データをＦＩＦＯメモリに書き込む（ＩＮ）。画像遅延部２３は、所定の遅延時間の後に、格納した画像データを格納した順番通りに読み出す（ＯＵＴ）。画像書き込み（ＩＮ）処理と、画像読み出し処理（ＯＵＴ）と、は同じタイミングでＦＩＦＯメモリの処理を行うセルを変更する。そのため、画像遅延部２３は、ＦＩＦＯメモリの書き込み処理（ＩＮ）のポインタと、ＦＩＦＯメモリの読み出し処理（ＯＵＴ）のポインタと、の位置関係を調整することによって遅延時間を調整できる。この遅延形式では、ＦＩＦＯメモリのサイズと、画像データに与えられる最大遅延量と、が比例する。
【００２７】
なお、画像遅延部２３による画像遅延処理は、前述のＦＩＦＯメモリによる処理に限られず、任意の画像遅延処理方法で実現してもよい。
【００２８】
続いて、本実施の形態にかかる画像記録システムの用途の例を説明する。たとえば、上述の画像表示装置１０をテレビジョン、携帯機器３０を携帯電話で構成した場合の用途の一例について説明する。ユーザは、テレビジョンを視聴し、携帯電話に記録したい動画があった場合に、携帯電話を取り出す。携帯電話には、テレビジョンに表示された動画が遅延して表示される。ここで、画像遅延部２３による画像データの遅延時間は、ユーザがテレビジョンを視聴してから、焦ることなく携帯電話を操作できる程度に十分である必要があり、たとえば５秒以上３０秒以下である。ユーザは、携帯電話の各種ボタンを操作することにより所望の動画を記録する。ユーザは、記録した動画をディスプレイに表示することや、記録した動画の１フレームを待ち受け画像として利用する。
【００２９】
また、上述の画像表示装置１０をプロジェクタに接続されたＰＣ（Personal Computer）のディスプレイ、携帯機器３０をＰＤＡで構成した場合の用途の一例について説明する。ここでは、学会発表において、聴講者が所望のスライド画像を自己のＰＤＡに記録することを想定する。学会等の発表において、プロジェクタにスライド画像が表示されている。ＰＤＡには、プロジェクタに表示されたスライド画像が遅延して表示される。画像遅延部２３による画像データの遅延時間は、聴講者がスライド画像を参照してから、焦ることなくＰＤＡを操作できる程度に十分である必要があり、たとえば３秒以上１０秒以下である。この場合、スライド画像は時間の変化による情報の変化量が少なく、同じスライド画像が一定時間変化せずに表示されることが多い。よって、遅延時間は比較的短く設定することができる。聴講者は、プロジェクタに表示されたスライド画像を参照し、手元のＰＤＡに記録したいスライド画像があるか否かを判断する。ＰＤＡに記録したいスライド画像がある場合、聴講者はＰＤＡの操作ボタンを操作することにより所望のスライド画像を記録する。その後、聴講者は、記録したスライド画像を任意のタイミングで再度参照することができる。
【００３０】
続いて、上述の画像記録システムによる効果について説明する。上記一連の処理により、画像表示装置１０に表示された画像データを、画像遅延部２３が所定の時間だけ遅延させた遅延画像データを生成し、当該遅延画像データを携帯機器３０に送信する。携帯機器３０は、当該遅延画像データを小型画像表示部３３に表示することができる。図３は、本実施の形態にかかる画像記録システムの動作概念を示す図である。
【００３１】
ユーザは、画像表示装置１０を視聴し、記録したい画像データがあるか否かを判断する。記録したい画像データがある場合、ユーザは小型画像表示部３３に表示された画像データを視聴する。ここで、画像表示装置１０に表示される画像データの表示タイミングから所定の時間だけ遅れて、同一の画像データが小型画像表示部３３に表示される。そのため、ユーザは小型画像表示部３３にどのタイミングで記録したい画像データが表示されるかを把握しつつ、画像記録命令を行うことができる。これにより、ユーザは、記録したい画像データを取り逃すことなく、確実に携帯機器３０に記録することができる。
【００３２】
また、上記の画像記録処理では、携帯機器３０は、受信した画像データのすべてを記録することなく、そのまま小型画像表示部３３に表示する。ユーザからの記録命令に応じて、制御部３４は、小型画像表示部３３に表示されている画像データのうち必要な情報のみを記憶部３２に記録する。言い換えると、携帯機器３０は、記録の必要がない画像データを記録しない。すなわち、携帯機器３０は、表示すべき画像データのすべてを一旦メモリに保存してから、小型画像表示部３３に表示する必要がなくなる。これにより、メモリ容量の縮小と、メモリを駆動するための電力の節約と、を実現することができる。
【００３３】
さらに、送信部２４と、受信部３１と、のデータ転送を無線通信により実現した場合、配線作業等の煩雑な作業を行う必要性がなくなる。
【００３４】
実施の形態２
本発明の実施の形態２は、画像データを受信する携帯機器が画像遅延処理を行う画像遅延部を備えることを特徴とする。図４を参照して、本実施の形態にかかる画像記録システムの基本構成、及び動作について、実施の形態１と異なる部分を説明する。なお、図４において、同一名及び同一符号を付した処理部は実施の形態１と基本的に同じ処理を行う。
【００３５】
画像送信装置２０は、画像取り込みＩ／Ｆ２１と、送信部２４と、を備える。画像送信装置２０は、画素サイズの調整を行う画像サイズ調整部と、画像遅延処理を行う画像遅延部と、を有さない構成である。一方、携帯機器３０は、受信部３１と、記憶部３２と、小型画像表示部３３と、制御部３４と、画像遅延部３５と、画像サイズ調整部３６と、を備える。
【００３６】
画像送信装置２０は、画像表示装置１０に表示された画像データを、画像表示装置１０に表示されているタイミングと実質的に同一のタイミングで画像送信装置２０に取り込む。画像送信装置２０は、画像サイズ調整部２２と、送信部２４と、を介して画像データを携帯機器３０に送信する。ここで、画像送信装置２０は、画像遅延部を有さないため、取り込んだ画像データをほぼリアルタイムで携帯機器３０に送信する。
【００３７】
携帯機器３０内の受信部３１は、画像送信装置２０から入力された画像データを受信し、受信した画像データを画像サイズ調整部３６に入力する。画像サイズ調整部３６は、受信した画像データの画像サイズ調整を携帯機器３０の仕様に沿って行い、画像サイズ調整を行った画像データを画像遅延部３５に出力する。画像遅延部３５は、入力された画像データを所望の時間だけ遅延させる。ここで、画像遅延処理は、実施の形態１にかかる処理と同一であるが、画像データの遅延時間は携帯機器３０において任意の値に設定可能である。画像遅延部３５は、遅延させた画像データを小型表示装置３３に出力する。その後の処理は、実施の形態１と同様である。
【００３８】
続いて、本実施の形態にかかる画像記録システムの用途の例を説明する。たとえば、上述の画像表示装置１０を電車内で動画を表示するデジタルサイネージ、携帯機器３０を携帯型デジタル音楽プレイヤーまたは携帯電話で構成した場合の用途の一例について説明する。
【００３９】
電車内にいる各ユーザは、デジタルサイネージに表示された動画を視聴する。ここで、各ユーザが保持する各機器には、画像サイズの設定、及び所望の遅延時間の情報が設定されている。たとえば、十分な機器性能を備えた携帯型デジタル音楽プレイヤーを持つユーザは、遅延時間を５秒以上３０秒以下に設定する。一方、機器性能が十分でない携帯電話を持つユーザは、遅延時間を３秒以上１０秒以下に設定する。各ユーザが設定した所定遅延時間の後に、手元に機器に、デジタルサイネージに表示された画像が表示される。各ユーザは、デジタルサイネージを参照し、手元の機器に記録したい動画があるか否かを判断する。手元の機器に記録したい動画がある場合、各ユーザは手元の機器のディスプレイを参照し、記録ボタン等を操作することで所望の動画を記録する。
【００４０】
次に、本実施の形態にかかる画像記録システムの効果について説明する。上記一連の処理では、携帯機器３０が画像サイズ調整処理と、画像遅延処理と、を行う。そのため、携帯機器３０毎に画像サイズ調整を行うことができ、多数のユーザが画像表示装置１０を参照している場合であっても適切な画像サイズ調整が可能となる。また、携帯機器３０の各ユーザが好みに合わせて遅延時間を設定することが可能となる。ユーザが遅延時間を設定できることにより、各ユーザは自身が望むタイミングで画像データを手元の機器に表示させることができる。これにより、多くのユーザが参照するような画像データであっても、各ユーザが保持する機器に必要な画像データを確実に記録することが可能となる。
【００４１】
実施の形態３
本発明の実施の形態３は、画像送信装置と、携帯機器と、の各々が画像遅延部を備えることを特徴とする。図５を参照して、本実施の形態にかかる画像記録システムの基本構成、及び動作について、実施の形態１、及び実施の形態２と異なる部分を説明する。なお、図５において、同一名及び同一符号を付した処理部は実施の形態１、及び実施の形態２と基本的に同じ処理を行う。
【００４２】
画像送信装置２０は、画像取り込みＩ／Ｆ２１と、画像遅延部２３と、送信部２４と、を備える。携帯機器３０は、受信部３１と、記憶部３２と、小型画像表示部３３と、制御部３４と、画像遅延部３５と、画像サイズ調整部３６と、を備える。
【００４３】
画像送信装置２０は、画像表示装置１０に表示された画像データを、画像表示装置１０に表示されているタイミングと実質的に同一のタイミングで画像送信装置２０に取り込む。画像送信装置２０は、取り込んだ画像データを画像サイズ調整部２２により画像サイズ調整を行った後に、画像遅延部２３に出力する。画像遅延部２３は、画像送信装置２０側に設定された遅延時間だけ、画像データを遅延させ、送信部２４に出力する。ここで、画像遅延部２３による遅延時間は、携帯機器３０を所持する各ユーザが希望する画像データの遅延時間のうちから、最小値を選択することが望ましい。つまり、画像送信装置２０と接続する携帯機器３０に設定された画像データの遅延時間のうち、最小値を選択することが望ましい。送信部２４は、入力された画像データを携帯機器３０に送信する。また、送信部２４は、画像遅延部２３が遅延させた遅延時間を通知するために、その遅延時間を携帯機器３０に送信する。
【００４４】
携帯機器３０内の受信部３１は、画像送信装置２０から入力された画像データを受信し、受信した画像データを画像サイズ調整部３６に入力する。また、受信部３１は、画像送信装置２０から送信された遅延時間を受信する。画像サイズ調整部３６は、受信した画像データの画像サイズ調整を携帯機器３０の仕様に沿って行い、画像サイズ調整を行った画像データを画像遅延部３５に出力する。
【００４５】
画像遅延部３５は、携帯機器３０において設定された所望の遅延時間と、画像送信装置２０から送信された遅延時間と、の差分に該当する時間だけ、入力された画像データを遅延させる。たとえば、携帯機器３０のユーザが、画像データを１０秒遅延させたい場合において、画像送信装置２０から送信された遅延時間が５秒である場合、画像遅延部３５は入力された画像データに５秒分の遅延を与える。一方、携帯機器３０のユーザが、画像データを１０秒遅延させたい場合において、画像送信装置２０から送信された遅延時間が５秒である場合、画像遅延部３５は遅延処理を行わない。画像遅延部３５は、遅延させた画像データを小型画像表示部３３に出力する。その後の処理は、実施の形態１と同様である。
【００４６】
続いて、本実施の形態にかかる画像記録システムの効果について説明する。本実施の形態にかかる画像記録システムでは、画像送信装置２０が最低必要な遅延時間を画像データに与える。その後、携帯機器３０が、携帯機器３０を所持するユーザが望む遅延時間と、画像送信装置２０により与えられた遅延時間と、の差分に該当する遅延時間を画像データに与える。これにより、携帯機器３０を所持するユーザが望む遅延時間分の遅延量を画像データに与えることができる。また、画像遅延処理を上述のＦＩＦＯメモリで実現した場合、画像送信装置２０が遅延処理の一部を行うことにより、携帯機器３０が行う遅延処理の負担を軽減できる。すなわち、携帯機器３０が備えるＦＩＦＯメモリのメモリサイズを小さくすることができる。これにより、携帯機器３０が十分な機器性能を持たない場合であっても、携帯機器３０のユーザが望む遅延時間だけ遅延量を与えた画像データを小型画像表示部３３に表示することが可能になる。
【００４７】
なお、本発明は上記実施の形態に限られたものではなく、趣旨を逸脱しない範囲で適宜変更することが可能である。たとえば、画像送信装置２０は、携帯機器３０が起動するまで休止状態またはあるいは停止状態としておく。そして、携帯機器３０の起動に伴い画像送信装置２０を起動してもよい。これにより、画像送信装置２０による電力消費を軽減することができる。
【００４８】
また、送信部２４は画像データの画像圧縮機能を備えてもよい。また、受信部３１は画像伸張機能を備えてもよい。これにより、画像を無線伝送した場合のデータ品質の向上が図れる。さらに、送信部２４、及び受信部３１はデータの再送処理機能を備える構成であってもよい。
【００４９】
また、画像送信装置２０が、携帯機器３０に送信する動画データのフレーム数を調整する機能を備えてもよい。たとえば、毎秒３０フレームのデータを含む画像データを、毎秒１５フレームの情報量のデータに変換する機能を備えることで、携帯機器３０に送信するデータ量を少なくすることが可能になる。
【符号の説明】
【００５０】
１    画像記録システム
１０  画像表示装置
２０  画像送信装置
２１  画像取り込みＩ／Ｆ
２２  画像サイズ調整部
２３  画像遅延部
２４  送信部
３０  携帯機器
３１  受信部
３２  記憶部
３３  小型画像表示部
３４  制御部
３５  画像遅延部
３６  画像サイズ調整部
【図１】
2011091545.tif 000003
【図２】
2011091545.tif 000004
【図３】
2011091545.tif 000005
【図４】
2011091545.tif 000006
【図５】
2011091545.tif 000007
【図６】
2011091545.tif 000008
【図７】
2011091545.tif 000009